(57)【特許請求の範囲】
【請求項１】
土中に掘削された所定の深さ及び直径の縦穴（１）の中心に接地極の変形を保護するための接地極変形防止用ガイド管（３）を該ガイド管の管中心を前記縦穴の中心に位置するように挿入し、この接地極変形防止用ガイド管の外側に位置する縦穴空間に接地抵抗値を減少させるための低減剤と砂とセメントとを混合して成る導電性物質（４）を充填すると共に、前記接地極変形防止用ガイド管内に多数の噴射口（６）をその周壁に穿設した中空管形状の接地極（５）を挿入し、この接地極を前記接地極変形防止用ガイド管内に挿入した後に該接地極変形防止用ガイド管を縦穴内から抜き取り、前記接地極変形防止用ガイド管を前記縦穴内から抜き取ったことにより前記接地極の周りに充填された前記導電性物質に対して前記接地極の中空管内に外部からコンプレッサー（７）により圧力注入された水又は導電性剤を含有した水溶液を該接地極に形成された多数の噴射口から圧力噴射し、この圧力噴射される水又は導電性剤を含有した水溶液によって前記導電性物質を水締めし、水締めされることによって密度を増し容積を減少された前記導電性物質から成る導電性物質充填層（Ａ）の容積減少分を補充するべく前記縦穴内に導電性物質を更に充填して接地極の周囲全体に行き渡るようにして前記接地極を導電性物質で完全に包み込むようにしたことを特徴とする棒状接地電極の形成方法。
【請求項２】
同時ケーシングボーリングにより土中に所定の深さ及び直径の縦穴（１）を掘削すると共に該縦穴内にケーシングパイプ（２）を該ケーシングパイプの外周壁が前記縦穴の内周壁に沿うように配設し、このケーシングパイプの配設によって土質の崩壊を防止された前記縦穴の中心に接地極の変形を保護するための接地極変形防止用ガイド管（３）を該ガイド管の管中心を前記縦穴の中心に位置するように挿入し、前記ケーシングパイプのパイプ内で前記接地極変形防止用ガイド管の外側に位置する縦穴空間に接地抵抗値を減少させるための低減剤と砂とセメントとを混合して成る導電性物質（４）を充填し、この導電性物質を充填した後に前記ケーシングパイプを縦穴内から抜き取り、前記接地極変形防止用ガイド管内に多数の噴射口（６）をその周壁に穿設した中空管形状の接地極（５）を挿入し、この接地極を前記接地極変形防止用ガイド管内に挿入した後に該接地極変形防止用ガイド管を縦穴内から抜き取り、前記接地極変形防止用ガイド管を前記縦穴内から抜き取ったことにより前記接地極の周りに充填された前記導電性物質に対して前記接地極の中空管内に外部からコンプレッサー（７）により圧力注入された水又は導電性剤を含有した水溶液を該接地極に形成された多数の噴射口から圧力噴射し、この圧力噴射される水又は導電性剤を含有した水溶液によって前記導電性物質を水締めし、水締めされることによって密度を増し容積を減少された前記導電性物質から成る導電性物質充填層（Ａ）の容積減少分を補充するべく前記縦穴内に導電性物質を更に充填して接地極の周囲全体に行き渡るようにして前記接地極を導電性物質で完全に包み込むようにしたことを特徴とする棒状接地電極の形成方法。
【請求項３】
土中に掘削された所定の深さ及び直径の縦穴（１）内に膨張状態で縦穴の内容積にほぼ等しい内容積をもつ網状袋から成る導電性ネット（１０）を該導電性ネットの中心を前記縦穴の中心に位置するように挿入すると共に該導電性ネット内に接地極の変形を保護するための接地極変形防止用ガイド管（３）を該ガイド管の管中心を前記縦穴の中心に位置するように挿入し、この接地極変形防止用ガイド管の外側に位置する前記導電性ネット内に接地抵抗値を減少させるための低減剤と砂とセメントとを混合して成る導電性物質（４）を充填すると共に、前記接地極変形防止用ガイド管内に多数の噴射口（６）をその周壁に穿設した中空管形状の接地極（５）を挿入し、この接地極を前記接地極変形防止用ガイド管内に挿入した後に該接地極変形防止用ガイド管を縦穴内から抜き取り、前記接地極変形防止用ガイド管を前記縦穴内から抜き取ったことにより前記接地極の周りに充填された前記導電性物質に対して前記接地極の中空管内に外部からコンプレッサー（７）により圧力注入された水又は導電性剤を含有した水溶液を該接地極に形成された多数の噴射口から圧力噴射し、この圧力噴射される水又は導電性剤を含有した水溶液によって前記導電性物質を水締めし、水締めされることによって密度を増し容積を減少された前記導電性物質から成る導電性物質充填層（Ａ）の容積減少分を補充するべく前記縦穴内の導電性ネット内に導電性物質を更に充填して接地極の周囲全体に行き渡るようにして前記接地極を導電性物質で完全に包み込むようにしたことを特徴とする棒状接地電極の形成方法。
【請求項４】
同時ケーシングボーリングにより土中に所定の深さ及び直径の縦穴（１）を掘削すると共に該縦穴内にケーシングパイプ（２）を該ケーシングパイプの外周壁が前記縦穴の内周壁に沿うように配設し、このケーシングパイプの配設によって土質の崩壊を防止された前記縦穴の該ケーシングパイプ内に膨張状態で縦穴の内容積にほぼ等しい内容積をもつ網状袋から成る導電性ネット（１０）を該導電性ネットの中心を前記縦穴の中心に位置するように挿入すると共に該導電性ネット内に接地極の変形を保護するための接地極変形防止用ガイド管（３）を該ガイド管の管中心を前記縦穴の中心に位置するように挿入し、この接地極変形防止用ガイド管の外側に位置する前記導電性ネット内に接地抵抗値を減少させるための低減剤と砂とセメントとを混合して成る導電性物質（４）を充填し、この導電性物質を充填した後に前記ケーシングパイプを縦穴内から抜き取り、前記接地極変形防止用ガイド管内に多数の噴射口（６）をその周壁に穿設した中空管形状の接地極（５）を挿入し、この接地極を前記接地極変形防止用ガイド管内に挿入した後に該接地極変形防止用ガイド管を縦穴内から抜き取り、前記接地極変形防止用ガイド管を前記縦穴内から抜き取ったことにより前記接地極の周りに充填された前記導電性物質に対して前記接地極の中空管内に外部からコンプレッサー（７）により圧力注入された水又は導電性剤を含有した水溶液を該接地極に形成された多数の噴射口から圧力噴射し、この圧力噴射される水又は導電性剤を含有した水溶液によって前記導電性物質を水締めし、水締めされることによって密度を増し容積を減少された前記導電性物質から成る導電性物質充填層（Ａ）の容積減少分を補充するべく前記縦穴内の導電性ネット内に導電性物質を更に充填して接地極の周囲全体に行き渡るようにして前記接地極を導電性物質で完全に包み込むようにしたことを特徴とする棒状接地電極の形成方法。
【発明の詳細な説明】
【０００１】
【発明の属する技術分野】
本発明は棒状接地電極の形成方法に関する。
【０００２】
【従来の技術】
電気事業法では電線路その他電気工作物についてそれぞれ設備すべき接地を定めている。高電圧長距離送電線においては、電気機器や送電線路を電柱の近くの土中に埋設された接地電極に接地している。この接地電極は、一般的に土中に打込機で銅線などの接地極をほぼ垂直に打ち込み、打ち込んだ接地極の周りに導電性物質である接地抵抗を減少させるための低減剤を流し込んで形成されている。
【０００３】
上記した接地電極の形成方法では、土中にほぼ垂直に打ち込まれた銅線などの接地極の周り全体に低減剤を均等に行き渡らせることがでぎず、主に地面の表面側にのみ低減剤が流布してしまうため、接地電極としての持続性が低いものであった。
【０００４】
また、上記した接地電極の形成方法では、土中にほぼ垂直に打ち込まれた接地極の周り全体に低減剤を均等に行き渡らせることがでぎず、主に地面の表面側にのみ低減剤が流布してしまうため、結果として大きな接地極を形成することが困難であった。
【０００５】
【発明が解決しようとする課題】
本発明は上記した実情に鑑み、垂直に掘削された縦穴に挿入される接地極の周り全体に、導電性物質（低減剤）を均等に行き渡らせ、接地極を導電性物質で完全に包み込んだ棒状接地電極の形成方法を提供する。この棒状接地電極の形成方法によって、持続性の高い接地電極を提供でき、しかも大きな接地電極を形成することができる。
【０００６】
【課題を解決するための手段】
上記目的を達成するために、本発明の棒状接地電極の形成方法は、土中に掘削された所定の深さ及び直径の縦穴（１）の中心に接地極の変形を保護するための接地極変形防止用ガイド管（３）を該ガイド管の管中心を前記縦穴の中心に位置するように挿入し、この接地極変形防止用ガイド管の外側に位置する縦穴空間に接地抵抗値を減少させるための低減剤と砂とセメントとを混合して成る導電性物質（４）を充填すると共に、前記接地極変形防止用ガイド管内に多数の噴射口（６）をその周壁に穿設した中空管形状の接地極（５）を挿入し、この接地極を前記接地極変形防止用ガイド管内に挿入した後に該接地極変形防止用ガイド管を縦穴内から抜き取り、前記接地極変形防止用ガイド管を前記縦穴内から抜き取ったことにより前記接地極の周りに充填された前記導電性物質に対して前記接地極の中空管内に外部からコンプレッサー（７）により圧力注入された水又は導電性剤を含有した水溶液を該接地極に形成された多数の噴射口から圧力噴射し、この圧力噴射される水又は導電性剤を含有した水溶液によって前記導電性物質を水締めし、水締めされることによって密度を増し容積を減少された前記導電性物質から成る導電性物質充填層（Ａ）の容積減少分を補充するべく前記縦穴内に導電性物質を更に充填して接地極の周囲全体に行き渡るようにして前記接地極を導電性物質で完全に包み込むようにしたことを特徴としている。
【０００７】
また、上記目的を達成するために、本発明の棒状接地電極の形成方法は、同時ケーシングボーリングにより土中に所定の深さ及び直径の縦穴（１）を掘削すると共に該縦穴内にケーシングパイプ（２）を該ケーシングパイプの外周壁が前記縦穴の内周壁に沿うように配設し、このケーシングパイプの配設によって土質の崩壊を防止された前記縦穴の中心に接地極の変形を保護するための接地極変形防止用ガイド管（３）を該ガイド管の管中心を前記縦穴の中心に位置するように挿入し、前記ケーシングパイプのパイプ内で前記接地極変形防止用ガイド管の外側に位置する縦穴空間に接地抵抗値を減少させるための低減剤と砂とセメントとを混合して成る導電性物質（４）を充填し、この導電性物質を充填した後に前記ケーシングパイプを縦穴内から抜き取り、前記接地極変形防止用ガイド管内に多数の噴射口（６）をその周壁に穿設した中空管形状の接地極（５）を挿入し、この接地極を前記接地極変形防止用ガイド管内に挿入した後に該接地極変形防止用ガイド管を縦穴内から抜き取り、前記接地極変形防止用ガイド管を前記縦穴内から抜き取ったことにより前記接地極の周りに充填された前記導電性物質に対して前記接地極の中空管内に外部からコンプレッサー（７）により圧力注入された水又は導電性剤を含有した水溶液を該接地極に形成された多数の噴射口から圧力噴射し、この圧力噴射される水又は導電性剤を含有した水溶液によって前記導電性物質を水締めし、水締めされることによって密度を増し容積を減少された前記導電性物質から成る導電性物質充填層（Ａ）の容積減少分を補充するべく前記縦穴内に導電性物質を更に充填して接地極の周囲全体に行き渡るようにして前記接地極を導電性物質で完全に包み込むようにしたことを特徴としている。
【０００８】
また、上記目的を達成するために、本発明の棒状接地電極の形成方法は、土中に掘削された所定の深さ及び直径の縦穴（１）内に膨張状態で縦穴の内容積にほぼ等しい内容積をもつ網状袋から成る導電性ネット（１０）を該導電性ネットの中心を前記縦穴の中心に位置するように挿入すると共に該導電性ネット内に接地極の変形を保護するための接地極変形防止用ガイド管（３）を該ガイド管の管中心を前記縦穴の中心に位置するように挿入し、この接地極変形防止用ガイド管の外側に位置する前記導電性ネット内に接地抵抗値を減少させるための低減剤と砂とセメントとを混合して成る導電性物質（４）を充填すると共に、前記接地極変形防止用ガイド管内に多数の噴射口（６）をその周壁に穿設した中空管形状の接地極（５）を挿入し、この接地極を前記接地極変形防止用ガイド管内に挿入した後に該接地極変形防止用ガイド管を縦穴内から抜き取り、前記接地極変形防止用ガイド管を前記縦穴内から抜き取ったことにより前記接地極の周りに充填された前記導電性物質に対して前記接地極の中空管内に外部からコンプレッサー（７）により圧力注入された水又は導電性剤を含有した水溶液を該接地極に形成された多数の噴射口から圧力噴射し、この圧力噴射される水又は導電性剤を含有した水溶液によって前記導電性物質を水締めし、水締めされることによって密度を増し容積を減少された前記導電性物質から成る導電性物質充填層（Ａ）の容積減少分を補充するべく前記縦穴内の導電性ネット内に導電性物質を更に充填して接地極の周囲全体に行き渡るようにして前記接地極を導電性物質で完全に包み込むようにしたことを特徴としている。
【０００９】
また、上記目的を達成するために、本発明の棒状接地電極の形成方法は、同時ケーシングボーリングにより土中に所定の深さ及び直径の縦穴（１）を掘削すると共に該縦穴内にケーシングパイプ（２）を該ケーシングパイプの外周壁が前記縦穴の内周壁に沿うように配設し、このケーシングパイプの配設によって土質の崩壊を防止された前記縦穴の該ケーシングパイプ内に膨張状態で縦穴の内容積にほぼ等しい内容積をもつ網状袋から成る導電性ネット（１０）を該導電性ネットの中心を前記縦穴の中心に位置するように挿入すると共に該導電性ネット内に接地極の変形を保護するための接地極変形防止用ガイド管（３）を該ガイド管の管中心を前記縦穴の中心に位置するように挿入し、この接地極変形防止用ガイド管の外側に位置する前記導電性ネット内に接地抵抗値を減少させるための低減剤と砂とセメントとを混合して成る導電性物質（４）を充填し、この導電性物質を充填した後に前記ケーシングパイプを縦穴内から抜き取り、前記接地極変形防止用ガイド管内に多数の噴射口（６）をその周壁に穿設した中空管形状の接地極（５）を挿入し、この接地極を前記接地極変形防止用ガイド管内に挿入した後に該接地極変形防止用ガイド管を縦穴内から抜き取り、前記接地極変形防止用ガイド管を前記縦穴内から抜き取ったことにより前記接地極の周りに充填された前記導電性物質に対して前記接地極の中空管内に外部からコンプレッサー（７）により圧力注入された水又は導電性剤を含有した水溶液を該接地極に形成された多数の噴射口から圧力噴射し、この圧力噴射される水又は導電性剤を含有した水溶液によって前記導電性物質を水締めし、水締めされることによって密度を増し容積を減少された前記導電性物質から成る導電性物質充填層（Ａ）の容積減少分を補充するべく前記縦穴内の導電性ネット内に導電性物質を更に充填して接地極の周囲全体に行き渡るようにして前記接地極を導電性物質で完全に包み込むようにしたことを特徴としている。
【００１０】
【発明の実施の形態】
図１から図４は本発明に係る棒状接地電極の形成方法の実施の形態を形成工程順に示したものである。
先ず図１に示すように、同時ケーシングボーリング（ボーリングビッドは図示せず）により土中に深さ３ｍから５ｍ程度で直径１０ｃｍ程度の縦穴１を掘削すると同時に該縦穴１内にスチールパイプから成るケーシングパイプ２を該ケーシングパイプ２の外周壁が前記縦穴１の内周壁に沿うように配設し、このケーシングパイプ２の配設によって土質の崩壊を防止された前記縦穴１の中心に接地極（後述する）の変形を保護するためのスチールパイプから成る接地極変形防止用ガイド管３を該ガイド管３の管中心を前記ケーシングパイプ２の管中心に位置するように該ケーシングパイプ２内に挿入する。
次に、前記ケーシングパイプ２のパイプ内で前記接地極変形防止用ガイド管３の外側に位置する縦穴空間に前記ケーシングパイプ２内の管中心に前記ガイド管３の管中心を位置させるように接地抵抗値を減少させるための低減剤と砂とセメントとを混合して成る導電性物質４を充填し、この導電性物質４を充填した後に前記ケーシングパイプ２を縦穴１内から抜き取る。また、図２に示すように前記接地極変形防止用ガイド管３内に銅管製の接地極５を該接地極５の下端部が前記縦穴１の底部近くまで到るように挿入する。前記銅管製の接地極５には中空管形状の周壁に多数の噴射口６を穿設してある。前記導電性物質４としては、カーボン及び食塩を含んだ低減剤と砂とセメントとを混合したものを用いる。
次に図３に示すように、前記接地極変形防止用ガイド管３を縦穴１内から抜き取り、前記接地極変形防止用ガイド管３を前記縦穴１内から抜き取ったことにより前記接地極５の周りに充填された前記導電性物質４に対して前記接地極５の中空管内に外部からコンプレッサー７により圧力注入された水又は導電性剤を含有した水溶液を該接地極５に形成された多数の噴射口６から圧力噴射し、この圧力噴射される水又は導電性剤を含有した水溶液によって前記導電性物質４を水締めし、水締めされることによって密度を増し容積を減少された前記導電性物質４から成る導電性物質充填層Ａの容積減少分を縦穴１の上方側から前記縦穴１内に導電性物質４を更に充填して補充する。前記導電性剤を含有した水溶液としては、カーボン系の粉末や食塩などを含有した水溶液を用いる。
このように、縦穴１内に充填された乾燥状態の導電性物質４（カーボン及び食塩を含んだ低減剤と砂とセメントとを混合した混合物質から成る）に後から水又は導電性剤を含有した水溶液を注入する工程としたことによって、縦穴１内に充填されている導電性物質４が水締めされ、この水締め作用により、導電性物質４の密度が増し導電性物質充填層Ａが下げられることによって、導電性物質４と縦穴１の内壁との接触を高められ、縦穴１の内壁や接地極５と導電性物質４との密着性が高められる。また、水又は導電性剤を含有した水溶液の液体のみをコンプレッサー７により接地極５の噴射口６から圧力注入することによって目詰まりを防止でき、必要量の水又は導電性剤を含有した水溶液を圧力注入することができる。
このようにして前記接地極５の周囲全体に行き渡された導電性物質４の硬化養生が完了し導電性物質充填層Ａが形成されたら、図４に示すように、前記接地極５の上端部に１Ｖ電線から成る接地線８を接続し、接地極５の露出部を導電性物質４の補充により包み込み棒状接地電極の形成を完了する。
【００１１】
図５及び図６は、前記の方法によって形成された既設の棒状接地電極が長年の使用により接地電極としての機能が低下したような場合に、この既設の棒状接地電極を再利用して接地電極としての機能の持続性を図る工法を示している。
図５に示すように、前記導電性物質４から成る導電性物質充填層Ａの中に既設の接地極５と同等な長さの接地極５を挿入可能な縦孔９を掘削し、この縦孔９内に新設の接地極５を挿入し、挿入された新設の接地極５の中空管内に外部からコンプレッサー７により水又は導電性剤を含有した水溶液を圧力注入し、圧力注入された水又は導電性剤を含有した水溶液を前記接地極５に形成された多数の噴射口６から接地極５の管外へ圧力噴射すると共に、接地抵抗値を減少させるための低減剤と砂とセメントとを混合して成る導電性物質４を該縦孔９内へ充填する。このようにして、新設の接地極５と既設の接地極５の合成により初期の抵抗値に回復した接地電極は、図６に示すように巻き留めしてあった接地線８と接続され、露出部を導電性物質で包みこむ。このように既設の導電性物質充填層Ａを再利用できることにより、再度岩盤を掘削する工程を省略できる。
【００１２】
図７から図１０は本発明に係る棒状接地電極の形成方法の他の実施の形態を形成工程順に示したものである。
先ず図７に示すように、同時ケーシングボーリング（ボーリングビッドは図示せず）により土中に深さ３ｍから５ｍ程度で直径１０ｃｍ程度の縦穴１を掘削すると同時に該縦穴１内にスチールパイプから成るケーシングパイプ２を該ケーシングパイプ２の外周壁が前記縦穴１の内周壁に沿うように配設し、このケーシングパイプ２の配設によって土質の崩壊を防止された前記縦穴１の該ケーシングパイプ２内に膨張状態で縦穴１の内容積にほぼ等しい内容積をもつ金網等の網状袋から成る導電性ネット１０を該導電性ネット１０の中心を前記縦穴１の中心に位置するように挿入すると共に該導電性ネット１０内に接地極５の変形を保護するための接地極変形防止用ガイド管３を該ガイド管３の管中心を前記縦穴１の中心に位置するように挿入する。
次に、前記接地極変形防止用ガイド管３の外側に位置する前記導電性ネット１０内に前記ケーシングパイプ２内の管中心に前記ガイド管３の管中心を位置させるように接地抵抗値を減少させるための低減剤と砂とセメントとを混合して成る導電性物質４を充填し、この導電性物質４を充填した後に前記ケーシングパイプ２を縦穴１内から抜き取る。また、図８に示すように前記接地極変形防止用ガイド管３内に銅管製の接地極５を該接地極５の下端部が前記縦穴１の底部近くまで到るように挿入する。前記銅管製の接地極５には中空管形状の周壁に多数の噴射口６を穿設してある。前記導電性物質４としては、カーボン及び食塩を含んだ低減剤と砂とセメントとを混合したものを用いる。
次に図９に示すように、前記接地極変形防止用ガイド管３を縦穴１内から抜き取り、前記接地極変形防止用ガイド管３を前記縦穴１内から抜き取ったことにより前記接地極５の周りに充填された前記導電性物質４に対して前記接地極５の中空管内に外部からコンプレッサー７により圧力注入された水又は導電性剤を含有した水溶液を該接地極５に形成された多数の噴射口６から圧力噴射し、この圧力噴射される水又は導電性剤を含有した水溶液によって前記導電性物質４を水締めし、水締めされることによって密度を増し容積を減少された前記導電性物質４から成る導電性物質充填層Ａの容積減少分を縦穴１の上方側から前記縦穴１内の前記導電性ネット１０内に導電性物質４を更に充填して補充する。前記導電性剤を含有した水溶液としては、カーボン系の粉末や食塩などを含有した水溶液を用いる。
このように、縦穴１内に充填された乾燥状態の導電性物質４（カーボン及び食塩を含んだ低減剤と砂とセメントとを混合した混合物質から成る）に後から水又は導電性剤を含有した水溶液を注入する工程としたことによって、縦穴１内に充填されている導電性物質４が水締めされ、この水締め作用により、導電性物質４の密度が増し導電性物質充填層Ａが下げられることによって、導電性物質４と縦穴１の内壁との接触を高められ、縦穴１の内壁や接地極５と導電性物質４との密着性が高められる。また、水又は導電性剤を含有した水溶液の液体のみをコンプレッサー７により接地極５の噴射口６から圧力注入することによって目詰まりを防止でき、必要量の水又は導電性剤を含有した水溶液を圧力注入することができる。
このようにして前記接地極５の周囲全体に行き渡された導電性物質４の硬化養生が完了し導電性物質充填層Ａが形成されたら、図１０に示すように、前記接地極５の上端部に１Ｖ電線から成る接地線８を接続し、接地極５の露出部を導電性物質の補充により包み込み棒状接地電極の形成を完了する。
なお、図５及び図６に示した既設の棒状接地電極を再利用して接地電極としての機能の持続性を図る工法は、図７乃至図１０の方法によって形成された棒状接地電極においても採用可能である。
【００１３】
【発明の効果】
本発明の棒状接地電極の形成方法によれば、垂直に掘削された縦穴に挿入される接地極の周り全体に、導電性物質を均等に行き渡らせ、接地極を導電性物質で完全に包み込んだ棒状接地電極を形成することができ、持続性の高い、大きな棒状接地電極を提供することができる。
【図面の簡単な説明】
【図１】本発明の棒状接地電極の形成工程を示した縦断側面図である。
【図２】本発明の棒状接地電極の形成工程を示した縦断側面図である。
【図３】本発明の棒状接地電極の形成工程を示した縦断側面図である。
【図４】本発明の棒状接地電極の形成工程を示した縦断側面図である。
【図５】本発明の棒状接地電極の再利用の工法を示した縦断側面図である。
【図６】本発明の棒状接地電極の再利用の工法を示した縦断側面図である。
【図７】本発明の棒状接地電極の他の形成工程を示した縦断側面図である。
【図８】本発明の棒状接地電極の他の形成工程を示した縦断側面図である。
【図９】本発明の棒状接地電極の他の形成工程を示した縦断側面図である。
【図１０】本発明の棒状接地電極の他の形成工程を示した縦断側面図である。
【符号の説明】
１  縦穴
２  ケーシングパイプ
３  接地極変形防止用ガイド管
４  導電性物質
Ａ  導電性物質充填層
５  接地極
６  噴射口
７  コンプレッサー
８  接地線
９  縦孔
１０  導電性ネット
【図１】
0004059574.tif 000002
【図２】
0004059574.tif 000003
【図３】
0004059574.tif 000004
【図４】
0004059574.tif 000005
【図５】
0004059574.tif 000006
【図６】
0004059574.tif 000007
【図７】
0004059574.tif 000008
【図８】
0004059574.tif 000009
【図９】
0004059574.tif 000010
【図１０】
0004059574.tif 000011